(57)【要約】【課題】    髪の毛に効果的に力を作用させられ、しかもその際に髪の毛を傷付けることが無く、更には簡便で手軽に使用できるヘア矯正具を提供することである。【課題手段】  硬質材からなる第１の板体１と、硬質材からなる第２の板体２とを具備してなり、  前記第１の板体１の少なくとも一面側の表面に軟質層３ａが設けられると共に、前記第２の板体２の少なくとも一面側の表面に軟質層３ｂが設けられてなることを特徴とするヘア矯正具。【選択図】    図１
2006217981.tif 000002
【特許請求の範囲】
【請求項１】
ヘア矯正具であって、
前記ヘア矯正具は、硬質材からなる第１の板体と、硬質材からなる第２の板体とを具備してなり、
前記第１の板体の少なくとも一面側の表面に軟質層が設けられると共に、前記第２の板体の少なくとも一面側の表面に軟質層が設けられてなる
ことを特徴とするヘア矯正具。
【請求項２】
第１の板体の表面に設けられた軟質層と第２の板体の表面に設けられた軟質層とは連結されてなり、
該連結部を境にして、かつ、前記軟質層を間に挟んで、前記第１の板体を前記第２の板体に積重できるよう構成されてなる
ことを特徴とする請求項１のヘア矯正具。
【請求項３】
軟質層は軟質シートで構成されてなることを特徴とする請求項１又は請求項２のヘア矯正具。
【発明の詳細な説明】
【技術分野】
【０００１】
本発明はヘア矯正具に関する。
【背景技術】
【０００２】
人の髪の毛は、皮膚や爪と同様に、ケラチンと呼ばれるタンパク質で出来ている。この髪の毛を更に詳細に分析すると、その中心を構成するメデュラ（芯）と、該メデュラの周囲を構成するコルティクス（小さなケラチン繊維が詰まった紡錘状あるいは葉巻状の皮質細胞が縦にぎっしり詰まった部分）と、該コルティクス（皮質）を相互に結合する為のマトリックス（間充物質と言われ、吸水性が高く、保湿効果にも優れている物質）と、髪の毛の外周を構成するキューティクル（毛表皮）とから構成されていると言われている。
【０００３】
そして、髪の毛を、何時までも、健康的に保持する為には、毎日の食事において、ケラチンを構成する良質のタンパク質（例えば、肉、豆等）を十分に補給することが大事である。
【０００４】
ところで、髪の毛は、外部に露出している為、外気に晒され、太陽光線を受け、更には大気中に浮遊する種々の物質の付着を受ける。
【０００５】
このようなことから、髪の毛の健康を保持する為には、良質のタンパク質を補給するだけでは十分とは言えず、上記のような外部からの弊害を取り除く為、洗髪やトリートメント等を励行することも大事と言われている。
【０００６】
さて、昔より、人は、単に、自然な髪の毛と言うのみでは満足せず、ヘアスタイルを種々に変更、即ち、自然な髪の毛に人工的な処置、例えばストレートパーマやウエーブパーマあるいはトリートメントを施すことにより、自己の美意識を満足させている。
【０００７】
従来のストレートパーマやウエーブパーマの処理技術は、洗髪を行い、清潔になったヘア全体に、コールド液等の軟化剤（１液）を塗布し、更には含浸させて軟化処理（１液処理）を施した後、ヘア全体を複数に分割し、その分割したヘアに熱処理、コーミング処理、或いはクリーム状の物質を塗布したり、又、その分割したヘアにロッドを巻き（ウエーブパーマの場合）、そしてコールド液等の硬化剤（２液）を塗布、更には含浸させて硬化処理（２液処理）を施し、所定の時間経過後にロッドを取り外し、最終的に温湯リンス処理等を施こすストレートパーマやウエーブパーマ或いはトリートメントの処理を行っている。そして、従来のストレートパーマ、ウエーブパーマ、或いはトリートメント処理にあっては、１液、２液により髪の毛のマトリックスやキューティクル部分に該液を十分に含浸させ、髪の毛の硬度を変化させ、その過程でヘアに熱処理、コーミング処理、或いはクリーム状の物質を塗布したり、又、その分割したヘアにロッド等の着脱を行いストレートパーマ、ウエーブパーマあるいはトリートメント等の処理を行う化学的な処理によるものであるから、ストレート、ウエーブ、或いはトリートメントの保持状態が短命であると言われている。又、直毛をウェーブ毛に、逆に、くせ毛を直毛にする場合、前述したキューティクル・マトリックス等にずれを生じさせなければならないものの、これ、また、その矯正保持状態が短命であると言われている。
【０００８】
そこで、上記した形状保持効果を強化する為、例えばパーマを掛ける個々人の髪の毛の性質に応じて１液、２液を調整することが提案されているものの、未だ、十分な効果は得られていない。
【０００９】
又、ヘアに対する処理器具として、例えば加熱するアイロンの対向する当接面にウエーブ等の形状を形成したものが提案されている。しかしながら、このタイプのアイロンによるウエーブパーマ等の処理は、片方の手で分割したヘアを持ち、もう片方の手にアイロンを持って、アイロンの対向面に分割したヘアを挟むことにより、アイロンの当接面に形成したウエーブ等の形状をヘアに固定処理すものであるが、やはり、これでも満足でき難いものであった。
【００１０】
そこで、本発明者は、ヘアに一定の圧力、更には熱を加えることにより、ヘアの本来の性質が大きく変化することに着目し、縮み、或いはカール癖が有るヘアにストレートパーマを掛けたり、逆に、ストレートヘアにウエーブパーマを容易に掛けることが出来、かつ、それまでのヘアの処理方法に比べ、処理後のヘアの状態が長期間に亘って保持できるようにしたヘア処理方法や処理装置を提案（特開平１１−８９６２４号公報）した。すなわち、ヘア全体を複数に分割し、その分割したヘアを上下がブラシ状になったストレート用ブラシで挟み張った状態にして、周囲に所定の溝を形成したパネルローラを配置し、前記ローラ溝の延長線に沿う溝を形成したパネルを配置してなる加圧手段を備えた器具を開発した。そして、前記器具の一方のローラ及びパネルの溝に沿わせて髪の毛を整然と配置した後、他方の加圧手段のローラ及びパネルを閉じることにより、ヘアを挟んで一定の圧力を加え、この状態における加圧手段からヘアを抜き取ることにより、ヘアに所定のパーマ処理を施すことを提案した。すなわち、パーマ処理の過程で、ヘアに加圧処理を行うと、加圧されたヘアは、その圧力により大きく変化する。つまり、個々のヘアの断面を顕微鏡で観察すると、圧力を掛ける前の形状は、略円形であるのに対し、加圧処理を加えると略圧縮した円形か楕円形に変形する。そして、圧縮した円形か楕円形に変形したヘアは、圧縮が解除されて一定の時間が経過すると、加圧処理前の円形状態に復元する。この圧縮した円形や楕円形から自然な形の円形に復元する膨張効果を利用、即ち、ヘアが圧縮状態から膨張する過程で、軟化処理（１液処理）及び硬化処理（２液処理）を施こすと、１液及び２液のヘアに対する浸透効果が著しく高まり、ウエーブパーマ等の処理効果が高まる。又、キューティクル・マトリックスの耐薬液時間が違う為、キューティクルに合わせて軟化時間を置くと、マトリックスの損傷が免れない。そこで、圧力を利用し、物理的な力でキューティクルの動きを促進させることにより、マトリックスに合せた薬液時間でキューティクルも処理することが可能になる。従って、縮みやカール癖が有るヘアにストレートパーマを掛けたり、逆に、ストレートヘアにウエーブパーマを掛ける時、非常に効果的である。又、長期間の洗髪によっても、ストレートパーマ、ウエーブパーマ、トリートメントが良好な状態で長く保持できる。
【特許文献１】特開平１１−８９６２４号公報
【発明の開示】
【発明が解決しようとする課題】
【００１１】
さて、ウェーブパーマやストレートパーマの処理に際して、髪の毛に圧力を掛けることが効果的であることが判った来て、それなりの器具が提案されて来た。
【００１２】
しかしながら、これまでの提案になる器具は、軽量性に欠け、かつ、簡便なものでも無いことから、使い難いものであった。
【００１３】
そこで、本発明者は、単なる板の間に髪の毛を挟んで矯正することを考えるに至った。
【００１４】
ところが、髪の毛を挟む板が硬いものであると、板の端部において、板が髪の毛に喰い込むような形態になり、髪の毛が傷付けられていることに気付いた。
【００１５】
そこで、髪の毛を挟む板を硬質板から軟質板に代え、軟質板で髪の毛を挟んでみた。
【００１６】
しかしながら、この場合には、軟質板であるが為に、髪の毛に対して力が効果的に掛からず、矯正効果は殆ど認められなかった。
【００１７】
従って、本発明が解決しようとする課題は、髪の毛に効果的に力を作用させられ、しかもその際に髪の毛を傷付けることが無く、更には簡便で手軽に使用できるヘア矯正具を提供することである。
【課題を解決するための手段】
【００１８】
前記の課題は、ヘア矯正具であって、
前記ヘア矯正具は、硬質材からなる第１の板体と、硬質材からなる第２の板体とを具備してなり、
前記第１の板体の少なくとも一面側の表面に軟質層が設けられると共に、前記第２の板体の少なくとも一面側の表面に軟質層が設けられてなる
ことを特徴とするヘア矯正具によって解決される。
【００１９】
特に、ヘア矯正具であって、
前記ヘア矯正具は、硬質材からなる第１の板体と、硬質材からなる第２の板体とを具備してなり、
前記第１の板体の少なくとも一面側の表面に軟質層が設けられると共に、前記第２の板体の少なくとも一面側の表面に軟質層が設けられてなり、
前記第１の板体の表面に設けられた軟質層と第２の板体の表面に設けられた軟質層とは連結されていて、該連結部を境にして、かつ、前記軟質層を間に挟んで、前記第１の板体を前記第２の板体に積重できるよう構成されてなる
ことを特徴とするヘア矯正具によって解決される。
【００２０】
尚、上記の軟質層は、好ましくは、軟質シートで構成される。例えば、ゴム製シートで構成される。
【発明の効果】
【００２１】
本発明のヘア矯正具は、例えば一面側にゴム製シートが貼着された一対の硬質樹脂板で構成される。
【００２２】
従って、全体の重量は軽量である。よって、本発明のヘア矯正具を髪の毛にぶら下げる如くに使用しても、被装着者は大きな不快感を感じることが無い。
【００２３】
又、本発明のヘア矯正具を髪の毛に対して使用するに際して、その作業性も極めて良く、極めて簡単に使用できる。
【００２４】
更に、板は硬質板であるから、髪の毛には効果的に圧力が作用し、矯正力が効果的に奏される。
【００２５】
しかしながら、硬質板の表面には軟質層が設けられているから、髪の毛を挟んで加圧しても、髪の毛に、直接、当っているのは軟質材であるから、髪の毛が硬質板の端（角）で傷付けられることが無い。
【発明を実施するための最良の形態】
【００２６】
図１は、本発明になるヘア矯正具の一実施形態の斜視図である。尚、図１は、説明の都合上、一方の板体を他方の板体側に傾けた状態にしてある。
【００２７】
同図中、１，２は、硬質で、かつ、比較的低密度な樹脂素材、例えば硬質アクリル樹脂板で構成された硬質樹脂板である。尚、この硬質樹脂板１，２は、例えば幅ｘが３〜６ｃｍ、長さｙが５〜１５ｃｍ、厚さｚが０．５〜２ｍｍ程度のものであり、軽量なものである。
【００２８】
３は軟質ゴムシートである。そして、軟質ゴムシート３の大きさは、硬質樹脂板１と硬質樹脂板２とを合わせた大きさより僅かだけ大きなものである。すなわち、軟質ゴムシート３の幅はｘ＋ｌ（ｌは０．１〜１ｍｍ程度）、長さはｙで、厚さは０．５〜２ｍｍ程度のものであり、軽量なものである。従って、軟質ゴムシート３の上に硬質樹脂板１と硬質樹脂板２とを並べて貼着することができる。尚、本明細書において、軟質とは、髪の毛を挟んで加圧した場合、例えば角の部分において髪の毛を傷付けることが無い程度のものであれば良い。
【００２９】
３ａは硬質樹脂板１が貼着されてなる軟質ゴムシート３の部分（軟質ゴムシート半体）であり、３ｂは硬質樹脂板２が貼着されてなる軟質ゴムシート３の部分（軟質ゴムシート半体）である。そして、軟質ゴムシート半体３ａと軟質ゴムシート半体３ｂとの境界部には、ｖ状溝が形成されていて、このｖ状溝を境に軟質ゴムシート３は折り畳み易いように構成されている。
【００３０】
すなわち、軟質ゴムシート３上に硬質樹脂板１と硬質樹脂板２とが並べられて貼着されてなる本発明のヘア矯正具Ａは、二枚の板がバラバラな別体構造なものでは無く、一体物として構成されたものである。これによって使い易くなっている。従って、使い易さを犠牲にするのであれば、二枚の板がバラバラな二体物とすることも可能である。
【００３１】
さて、上記のように構成させてなるヘア矯正具Ａは、これまでのパーマ処理に際して用いられる。すなわち、１液処理の後、髪の毛に圧力を作用させようとした場合、硬質樹脂板２上の軟質ゴムシート半体３ｂの上に髪の毛を配し、そして硬質樹脂板１を折り畳むように重ね合わせる。この後、例えばクリップ等で挟み、又は輪ゴム等を用いて、硬質樹脂板１を硬質樹脂板２に対して圧着させる。これによって、髪の毛は、軟質ゴムシート半体３ａと軟質ゴムシート半体３ｂとに挟まれ、押圧力を受け、矯正力を受け、１液及び２液のヘアに対する浸透効果が著しく高まり、ウエーブパーマやストレートパーマ等の処理効果が高まる。又、長期間の洗髪によっても、ストレートパーマ、ウエーブパーマ、トリートメントが良好な状態で長く保持できる。
【００３２】
尚、本発明のヘア矯正具をセットした後で薬剤を髪の毛に付けることが出来るように、軟質ゴムシート３及び硬質樹脂板１，２に適宜な孔を設けておくことも出来る。
【図面の簡単な説明】
【００３３】
【図１】本発明になるヘア矯正具の一実施形態の斜視図
【符号の説明】
【００３４】
１，２        硬質樹脂板
３            軟質ゴムシート
３ａ，３ｂ    軟質ゴムシート半体
代  理  人  宇      高      克      己
【図１】
2006217981.tif 000003